(57)【要約】  カード取引に必要なディスプレイの存在を意識させないようにした自動取引装置を提供する。  カード挿入検出部（２）がカードの挿入を検出すると、表示制御部（６）が空中ディスプレイ（７）を空中に出現させ、カード取引の取引手順を表示する。カード取引処理部（４）は、顧客がその取引手順に従った操作を行うことで、カード取引処理を行い、カード取引処理が終了すると、空中ディスプレイ（７）を非表示にする。携帯端末検出部（３）が携帯端末を検出し、携帯端末に事前に入力された取引内容のデータを読み取ったときには、空中ディスプレイ（７）を空中に出現させることなく、携帯端末取引処理部（５）は、取引内容に従った携帯端末取引処理を行う。
2017141433.tif 000002
【特許請求の範囲】
【請求項１】
カードスロットにカードが挿入されたことを検出するカード挿入検出部と、
前記カード挿入検出部がカードの挿入を検出したとき、カードを用いた取引操作に従って取引処理を実行するカード取引処理部と、
前記取引操作の案内を表示させる空中ディスプレイと、
前記カード挿入検出部がカードの挿入を検出したとき、前記空中ディスプレイを空中に出現させて前記空中ディスプレイに取引操作の案内を表示させ、前記カード取引処理部による取引が終了したときには、前記空中ディスプレイを非表示にする表示制御部と、
事前に取引に必要な取引内容が入力された携帯端末を検出する携帯端末検出部と、
前記携帯端末検出部が前記携帯端末を検出したとき、前記携帯端末が保持する前記取引内容に従った取引処理を実行する携帯端末取引処理部と、
を備えている自動取引装置。
【請求項２】
前記カードスロットおよび前記携帯端末が検出される領域にそれぞれ設けられてカードを挿入する操作または前記携帯端末をかざす操作を光で誘導するための操作誘導灯を備えている、
請求項１記載の自動取引装置。
【請求項３】
顧客の接近を検出する顧客センサを備え、
前記表示制御部は、前記顧客センサが顧客を検出したとき、前記空中ディスプレイを空中に出現させて前記空中ディスプレイにカード取引および携帯端末取引の操作案内を表示させる、
請求項１または２記載の自動取引装置。
【請求項４】
前記表示制御部は、前記携帯端末取引処理部が前記携帯端末による取引処理を実行している場合に暗証番号の入力が必要になったとき、前記空中ディスプレイを空中に出現させて暗証番号の入力操作案内を表示させる、
請求項１ないし３のいずれか１項に記載の自動取引装置。
【請求項５】
前記携帯端末取引処理部は、前記携帯端末による取引処理を実行している場合に案内の表示が必要になったとき、当該案内を前記携帯端末のディスプレイに表示させるよう前記携帯端末に通知する、
請求項１ないし４のいずれか１項に記載の自動取引装置。
【請求項６】
前記携帯端末検出部は、前記携帯端末に事前に入力された前記取引内容を無線通信によって読み取る無線通信手段である、
請求項１記載の自動取引装置。
【請求項７】
前記空中ディスプレイは、自動取引装置の内部に設けられて空中に表示する画像を表示させる表示部と、前記表示部に表示された画像を自動取引装置の外部に結像させるための空中ディスプレイ表示機構とを有している、
請求項１記載の自動取引装置。
【請求項８】
前記空中ディスプレイは、前記自動取引装置の内部に設けられて空中に結像された画像の特定の座標に指が存在するか否かを検出することによって空中に表示されている画像へのタッチ操作を検出する入力操作検知部を有している、
請求項７記載の自動取引装置。
【請求項９】
前記表示制御部は、前記携帯端末検出部が前記携帯端末を検出したときには前記空中ディスプレイを非表示にする、
請求項３記載の自動取引装置。
【請求項１０】
前記表示制御部は、前記携帯端末取引処理部が前記携帯端末による取引処理を実行している場合に暗証番号の入力操作が終了したときには前記空中ディスプレイを非表示にする、
請求項４記載の自動取引装置。
【請求項１１】
前記無線通信手段は、無線通信によって読み取るＮＦＣ（近距離無線通信）リーダおよび前記取引内容をコード化したバーコードを光学的に読み取るバーコードリーダの少なくとも一方である、
請求項６記載の自動取引装置。
【請求項１２】
カードを挿入するカードスロットにカードが挿入されたことを検出して、画像を空中に結像させる空中ディスプレイに取引操作を表示させ、表示された前記取引操作に従った取引処理を行うか、または、携帯端末がかざされたことを検出して、事前に前記携帯端末に入力されている取引内容を読み取り、前記取引内容に従った取引処理を行い、
取引終了時に、前記空中ディスプレイが表示中の場合は、前記空中ディスプレイを非表示にする、
処理をコンピュータに実行させる自動取引方法。
【発明の詳細な説明】
【技術分野】
【０００１】
本発明は自動取引装置および自動取引方法に関し、たとえば現金を引出すなどの取引を行う場合に操作案内および入力操作を行うディスプレイがなくても戸惑うことなく取引操作が可能な自動取引装置および自動取引方法に関する。
【背景技術】
【０００２】
金融機関との取引をする場合、ＡＴＭ（Automated Teller Machine）のような自動取引装置が一般に利用されている。自動取引装置は、顧客がキャッシュカードを用いて簡単な操作で預入れや引出しなどが可能であり、しかも、金融機関の店舗内だけでなく、出張所や多くのコンビニエンスストアに設置されているので、便利に利用できるようになってきている。【０００３】
自動取引装置へのアクセスに関し、キャッシュカードを用いる方法以外に、顧客が所有するスマートフォンまたはタブレットのような携帯端末を用いる方法が知られている（たとえば、特許文献１参照）。この方法によれば、暗証番号を含むすべての取引内容を事前に携帯端末に入力しておき、携帯端末を自動取引装置にかざすだけで携帯端末に入力された取引内容が自動取引装置に伝えられる。したがって、携帯端末に、たとえば引出すのに必要な取引内容を事前に入力しておけば、携帯端末を自動取引装置にかざすことによって直ちに出金取引が行われることになる。【０００４】
このような携帯端末を利用した取引方法は、健常者はもちろんであるが、特に、障害者には極めて有用なツールとなる。現状の自動取引装置でも金融機関と通話が可能なハンドセットが備えられていて、たとえば、視覚障害のある方でも入力操作ができるように障害者対策がなされてはいる。つまり、視覚障害者の場合、タッチパネルを使った入力操作はできないが、ハンドセットから流れる音声の操作ガイドに従ってハンドセットのボタンを使った入力操作は可能である。しかし、入力操作が可能であるというだけで、障害者が実際に自動取引装置を利用する場合には、操作に手間取るなどして取引完了までに長時間を要してしまう場合が多い。【０００５】
携帯端末を利用する取引方法では、取引に必要な携帯端末への入力操作は、事前に顧客のペースで行うことができ、たとえば、携帯端末に読み上げ機能が備わっていれば、視覚障害者は、入力内容を音声で確認できるので、間違えのないデータ入力が可能になる。したがって、携帯端末を利用した自動取引装置は、その操作方法が簡単、確実、かつ迅速であることから、普及が見込まれている。【０００６】
このような自動取引装置としては、キャッシュカードによる取引が可能な機能に携帯端末による取引が可能な機能を付加することによって実現することができる。この場合、キャッシュカードによる取引では、キャッシュカードを自動取引装置のカードスロットに挿入するか、顧客が自動取引装置に近づくことによって表示内容が切り換えられたディスプレイの取引種別選択画面にて取引種別を選択してから取引を開始する。その後、顧客は、ディスプレイに表示された操作案内に従って操作をしていくことになる。一方、携帯端末による取引では、携帯端末を自動取引装置の所定位置に直接かざすか、ディスプレイの取引種別選択画面にて取引種別を選択してから携帯端末を自動取引装置の所定位置にかざして取引をすることになる。
【先行技術文献】
【特許文献】
【０００７】
【特許文献１】米国特許第８６３２０００号明細書
【発明の概要】
【発明が解決しようとする課題】
【０００８】
以上のようなキャッシュカードによるカード取引および携帯端末による携帯端末取引が可能な自動取引装置では、カード取引に必須であるディスプレイは、携帯端末自身が同じ機能を備えていることから、携帯端末取引に必ずしも必要なものではない。むしろ、携帯端末取引を行う顧客は、操作画面が２つあることによって操作上の混乱を招くことになる。この点を考慮して、自動取引装置のディスプレイを普段は非表示にしておくことも考えられるが、この場合、ディスプレイがあるのに非表示になっていれば、顧客は、一般的に、ディスプレイが故障であるまたは自動取引装置が機能停止していると認識する。このため、操作上の混乱を防ぐために自動取引装置のディスプレイを非表示にすることは、かえって操作上の混乱以上の不具合が起きてしまうという問題点がある。【０００９】
本発明はこのような点に鑑みてなされたものであり、カード取引に必要なディスプレイの存在を意識させないようにした自動取引装置および自動取引方法を提供することを目的とする。
【課題を解決するための手段】
【００１０】
本発明では、上記の課題を解決するために、自動取引装置が提供される。この自動取引装置は、カードスロットにカードが挿入されたことを検出するカード挿入検出部と、前記カード挿入検出部がカードの挿入を検出したとき、カードを用いた取引操作に従って取引処理を実行するカード取引処理部と、前記取引操作の案内を表示させる空中ディスプレイと、前記カード挿入検出部がカードの挿入を検出したとき、前記空中ディスプレイを空中に出現させて前記空中ディスプレイに取引操作の案内を表示させ、前記カード取引処理部による取引が終了したときには、前記空中ディスプレイを非表示にする表示制御部と、事前に取引に必要な取引内容が入力された携帯端末を検出する携帯端末検出部と、前記携帯端末検出部が前記携帯端末を検出したとき、前記携帯端末が保持する前記取引内容に従った取引処理を実行する携帯端末取引処理部と、を備えている。【００１１】
また、本発明では、自動取引方法が提供される。この自動取引方法は、カードを挿入するカードスロットにカードが挿入されたことを検出して、画像を空中に結像させる空中ディスプレイに取引操作を表示させ、表示された前記取引操作に従った取引処理を行うか、または、携帯端末がかざされたことを検出して、事前に前記携帯端末に入力されている取引内容を読み取り、前記取引内容に従った取引処理を行い、取引終了時に、前記空中ディスプレイが表示中の場合は、前記空中ディスプレイを非表示にする、処理をコンピュータに実行させる。
【発明の効果】
【００１２】
上記構成の自動取引装置および自動取引方法は、必要なときに画像を空中に出現させる空中ディスプレイを備え、外観的にはディスプレイの存在を認識できない構成にしたことで、操作上の混乱を確実に防止できるという利点がある。【００１３】
本発明の上記および他の目的、特徴および利点は、本発明の例として好ましい実施の形態を表す添付の図面と関連した以下の説明により明らかになるであろう。
【図面の簡単な説明】
【００１４】
【図１】第１の実施の形態に係る自動取引装置の機能ブロック図である。
【図２】第１の実施の形態に係る自動取引装置の取引手順を示すフローチャートである。
【図３】空中ディスプレイが非表示状態にあるときの第２の実施の形態に係る自動取引装置を示す斜視図である。
【図４】空中ディスプレイが表示状態にあるときの第２の実施の形態に係る自動取引装置を示す斜視図である。
【図５】第２の実施の形態に係る自動取引装置のハードウェアの一構成例を示す図である。
【図６】第２の実施の形態に係る自動取引装置の取引手順を示すフローチャートである。
【図７】インフォメーション画面の一表示例を示す図である。
【図８】カード取引処理を示すフローチャートである。
【図９】カード取引処理での空中ディスプレイの画面表示例を示す図であって、図９（Ａ）は取引種別選択画面の一表示例を示す図、図９（Ｂ）は暗証入力画面の一表示例を示す図、図９（Ｃ）は金額入力画面の一表示例を示す図、図９（Ｄ）は媒体返却画面の一表示例を示す図である。
【図１０】取引開始時における携帯端末のディスプレイの表示例を示す図である。
【図１１】携帯端末取引処理を示すフローチャートである。
【図１２】携帯端末取引における空中ディスプレイの画面表示例を示す図であって、図１２（Ａ）は暗証入力画面の一表示例を示す図、図１２（Ｂ）は媒体返却画面の一表示例を示す図である。
【図１３】第３の実施の形態における携帯端末取引処理を示すフローチャートである。
【図１４】携帯端末取引における出金案内表示画面の一表示例を示す図である。
【発明を実施するための形態】
【００１５】
以下、本発明の実施の形態について、図面を参照して詳細に説明する。なお、各実施の形態は、矛盾のない範囲で複数の実施の形態を部分的に組み合わせて実施することができる。
【００１６】
図１は第１の実施の形態に係る自動取引装置の機能ブロック図である。図２は第１の実施の形態に係る自動取引装置の取引手順を示すフローチャートである。
第１の実施の形態に係る自動取引装置１は、図１に示したように、カード挿入検出部２と、携帯端末検出部３と、カード取引処理部４と、携帯端末取引処理部５と、表示制御部６と、空中ディスプレイ７と、操作誘導灯８とを備えている。
【００１７】
カード挿入検出部２は、自動取引装置１が備えるカード処理部のカードスロットにキャッシュカードやクレジットカードなどのカードが挿入されたことを検出するものである。カード挿入検出部２がカードの挿入を検出した場合、自動取引装置１は、カード取引であると判断する。
【００１８】
携帯端末検出部３は、自動取引装置１が備えるＮＦＣ（Near Field Communication：近距離無線通信）リーダがＮＦＣ対応の携帯端末との通信状態、または、自動取引装置１が備えるバーコードリーダが携帯端末のディスプレイに表示されたバーコードを検出するものである。また、携帯端末の検出には、携帯画面の明滅などによる通信手段、音声による通信手段、Ｂｌｕｅｔｏｏｔｈ（登録商標）やＷｉ−Ｆｉ（登録商標）などの無線通信手段も活用できる。携帯端末検出部３が携帯端末との通信状態またはバーコードを非接触で検出した場合、自動取引装置１は、携帯端末取引であると判断する。
【００１９】
カード取引処理部４は、カード挿入検出部２がカードの挿入を検出したとき、カードを用いた取引手順に従った取引を実行する。カード取引処理部４は、たとえば、出金取引の場合、取引種別の選択処理、暗証入力処理、引出し金額の入力処理、紙幣やカードの媒体を返却する処理を行う。
【００２０】
携帯端末取引処理部５は、携帯端末検出部３が携帯端末を検出したとき、携帯端末を用いた取引を実行する。すなわち、携帯端末には、事前に取引に必要なデータ入力が行われていて、携帯端末検出部３が携帯端末を検出したときに、その取引内容が読み込まれ、携帯端末取引処理部５は、その読み込まれた取引内容にしたがって、取引処理を行う。
【００２１】
表示制御部６は、カード挿入検出部２がカードの挿入を検出したか、携帯端末検出部３が携帯端末との通信状態またはバーコードを検出したかによって空中ディスプレイ７を表示状態にするか、非表示状態にするかの制御を行う。また、表示制御部６は、操作誘導灯８の点灯制御を行う。
【００２２】
空中ディスプレイ７は、その非表示状態では、表示画面がなく、したがって、顧客は、自動取引装置１にディスプレイがないと認識する。空中ディスプレイ７は、また、表示状態では、空中に表示画面が現れ、そこに取引手順などが表示される。このとき、空中ディスプレイ７に表示された取引手順などに従って取引を行うことになる。
【００２３】
操作誘導灯８は、自動取引装置１が備えるカード処理部、ＮＦＣリーダおよびバーコードリーダなどの携帯端末検出領域に設けられ、カード処理部のカードスロットやＮＦＣリーダおよびバーコードリーダの存在する場所を照らす。これにより、カードを挿入する位置および携帯端末をかざす位置を顧客に容易に認識させ、顧客をカードの挿入位置または携帯端末をかざす位置に誘導させることができる。
【００２４】
自動取引装置１が備える以上の機能は、コンピュータを含む図示しない制御装置によって装置全体が制御されている。次に、以上のように構成された自動取引装置１の動作について説明する。
【００２５】
図２に示したように、自動取引装置１が動作を開始すると、まず、表示制御部が操作誘導灯８を点灯（または点滅）制御して、自動取引装置１に正対した顧客に対し、最初に何をなすべきかを誘導する（ステップＳ１）。
【００２６】
次に、自動取引装置１は、カード挿入検出部２がカードの挿入を検出したか否かを判断し（ステップＳ２）、カードの挿入を検出した場合（ステップＳ２のＹＥＳ）には、表示制御部６が空中ディスプレイ７を表示状態にする（ステップＳ３）。次に、カード取引処理部４がカード取引処理を実行する（ステップＳ４）。すなわち、顧客は、空中ディスプレイ７に表示された取引手順に従って操作を行う。カード取引処理が終了すると、表示制御部６は、空中ディスプレイ７を非表示状態にする（ステップＳ５）。
【００２７】
ステップＳ２において、カード挿入検出部２がカードの挿入を検出しなかった場合（ステップＳ２のＮＯ）、自動取引装置１は、携帯端末検出部３が携帯端末を検出したか否かを判断する（ステップＳ６）。ここで、携帯端末検出部３が携帯端末を検出しなかった場合（ステップＳ６のＮＯ）、処理は、ステップＳ２に戻る。
【００２８】
ステップＳ６において、携帯端末検出部３が携帯端末を検出した場合（ステップＳ６のＹＥＳ）、自動取引装置１は、携帯端末検出部３が読み取った取引内容に従って携帯端末取引処理部５による携帯端末取引処理を実行する（ステップＳ７）。
【００２９】
したがって、カード取引では、今まで通り、空中ディスプレイ７に表示された操作案内に従った操作をすることで取引処理をすることができる。一方、携帯端末取引では、空中ディスプレイ７が出現されることなく、取引処理をすることができる。たとえば、携帯端末に事前に出金取引に必要かつ有効なデータが入力されていた場合、その携帯端末を自動取引装置１にかざすだけで、直ちに自動取引装置１からの出金ができることになる。
【００３０】
また、携帯端末取引処理部５は、携帯端末取引処理の実行中およびその前後において、顧客に対して何らかの案内や指示が必要なときには、空中ディスプレイ７に代えて携帯端末のディスプレイを利用して案内や指示を表示させることができる。この場合、自動取引装置１から携帯端末への通知は、ＮＦＣ機能などを利用して行われる。
【００３１】
図３は空中ディスプレイが非表示状態にあるときの第２の実施の形態に係る自動取引装置を示す斜視図である。図４は空中ディスプレイが表示状態にあるときの第２の実施の形態に係る自動取引装置を示す斜視図である。
【００３２】
第２の実施の形態に係る自動取引装置１０は、顧客が正対する正面側の筐体面にカードスロット１１および紙幣の出金口１２を備えている。また、筐体上部には、ＮＦＣリーダ１３、バーコードリーダ１４およびテンキーボード１５を備えている。
【００３３】
カードスロット１１は、キャッシュカードなどのカードを挿入したり、挿入したカードおよび取引明細を印字したレシートを排出したりするスロットである。また、このカードスロット１１は、内部に操作誘導灯が配置されていて、スロット内またはスロット近傍を明るくすることにより、カード取引の際のカード挿入を誘導させることができる。
【００３４】
出金口１２は、取引種別が「お引出し」のときに、紙幣が出金される部分である。
ＮＦＣリーダ１３は、スマートフォンのような携帯端末による取引の際に、携帯端末に事前に入力された取引内容を無線通信によって読み取るものである。このＮＦＣリーダ１３においても、操作誘導灯が内蔵されており、携帯端末をかざす位置およびその近傍を内部から照らして、携帯端末をかざす位置を顧客に容易に認識させることができるようにしている。
【００３５】
バーコードリーダ１４は、携帯端末による取引の際に、携帯端末に事前に入力された取引内容をコード化してディスプレイに表示させたバーコードを内蔵カメラで光学的に読み取り、復号化するものである。このバーコードリーダ１４においても、操作誘導灯が内蔵されており、カメラが配置されている窓の近傍を内部から照らして、携帯端末をかざす位置を顧客に容易に認識させることができるようにしている。
【００３６】
テンキーボード１５は、取引種別が「お引出し」のときに、暗証番号を入力したり、出金したい金額を入力したりするのに使用されるものである。
自動取引装置１０は、また、図４に示したように、必要時に空中に出現する空中ディスプレイ１６を備えている。この空中ディスプレイ１６は、たとえば、国際公開第２００９／１３１１２８号に記載のような、空中に立体像を形成することが可能な光学結像装置とすることができる。この光学結像装置は、透明平板の内部に平面光反射部を形成した光制御パネルからなり、その一方の面側に配置した物体からの光を入射させ、物体の像を光学結像装置の反対側に結像させるものである。すなわち、光学結像装置および液晶表示パネルのような表示部を自動取引装置１０の内部に設置し、表示部に表示された映像を光学結像装置の反対側、すなわち、自動取引装置１０の上部空間に結像させるものである。したがって、表示部が非表示のとき、図３に示したように、空中ディスプレイ１６は、存在しない。表示部が表示のときは、図４に示したように、空中ディスプレイ１６が出現してそこに表示部が表示している画像を表示する。
【００３７】
この自動取引装置１０は、さらに、図示はしないが、空中ディスプレイ１６に表示されているボタンへのタッチを検出する入力操作検知部を備えている。この入力操作検知部としては、たとえば、指を検知する赤外線センサとすることができ、この赤外線センサは、空中ディスプレイ１６の出現位置に相当する位置の自動取引装置１０の内部に埋め込まれている。この赤外線センサは、空中ディスプレイ１６が表示する空間の特定の座標に指が存在するか否かを検出することによって空中に表示されているボタンへのタッチを検出する。
【００３８】
また、自動取引装置１０は、図示はしないが、顧客が自動取引装置１０に近づいてきたことを検出する顧客センサを備えている。この顧客センサは、たとえば赤外線センサとすることができ、たとえばＮＦＣリーダ１３の近傍における自動取引装置１０の内部に設置されている。
【００３９】
図５は第２の実施の形態に係る自動取引装置のハードウェアの一構成例を示す図である。自動取引装置１０は、その主機能がＣＰＵ（Central Processing Unit）２１およびＲＡＭ（Random Access Memory）２２を含むコンピュータ（制御部）２０によって構成され、ＣＰＵ２１によって装置全体が制御されている。ＣＰＵ２１は、バス２７を介してＲＡＭ２２および複数の周辺機器が接続されている。
【００４０】
ＲＡＭ２２は、コンピュータ２０の主記憶装置として使用される。ＲＡＭ２２には、ＣＰＵ２１に実行させるＯＳ（Operating System）のプログラムやアプリケーションプログラムの少なくとも一部が一時的に格納される。また、ＲＡＭ２２には、ＣＰＵ２１による処理に必要な各種データが格納される。
【００４１】
バス２７に接続されている周辺機器としては、ハードディスクドライブ（ＨＤＤ：Hard Disk Drive）２３、グラフィック処理部２４、入出力インタフェース２５、および通信インタフェース２６がある。
【００４２】
ＨＤＤ２３は、内蔵したディスクに対して、磁気的にデータの書き込みおよび読み出しを行う。ＨＤＤ２３は、コンピュータの二次記憶装置として使用される。ＨＤＤ２３には、ＯＳのプログラム、アプリケーションプログラム、および各種データが格納される。なお、二次記憶装置としては、フラッシュメモリなどの半導体記憶装置を使用することもできる。
【００４３】
グラフィック処理部２４には、表示ユニット２８の表示部２９が接続されている。グラフィック処理部２４は、ＣＰＵ２１からの命令に従って、画像を表示部２９の画面に表示させる。この表示部２９は、上記した光学結像装置のような空中ディスプレイ表示機構３０と関連され、空中ディスプレイ１６を構成するのに用いられている。
【００４４】
入出力インタフェース２５には、表示ユニット２８の入力操作検知部３１が接続されている。この入力操作検知部３１は、上述した指検知用の赤外線センサである。入出力インタフェース２５は、入力操作検知部３１が検知した信号をＣＰＵ２１に送信する。
【００４５】
入出力インタフェース２５は、また、カード／レシート処理部３２、紙幣処理部３３、ＮＦＣリーダ１３、バーコードリーダ１４、テンキーボード１５、顧客センサ３４、および誘導灯３５に接続されている。
【００４６】
カード／レシート処理部３２は、カードスロット１１に挿入されたカードの情報を読み取り、入出力インタフェース２５を介してＣＰＵ２１に送信する。カード／レシート処理部３２は、また、レシートプリンタを備え、ＣＰＵ２１から入出力インタフェース２５を介して受けた取引の利用明細の情報を印字し、印字したレシートをカードスロット１１からカードを放出するときにカードと一緒に放出する。
【００４７】
紙幣処理部３３は、紙幣収納庫、紙幣鑑別部および紙幣搬送部を備えている。紙幣処理部３３は、入出力インタフェース２５を介してＣＰＵ２１から、たとえば出金指令を受けたときは、紙幣収納庫から指示された金種および枚数の紙幣を取り出し、出金口１２から放出する処理を行う。
【００４８】
ＮＦＣリーダ１３は、携帯端末が近づいたときにその携帯端末との通信を確立する。携帯端末に事前に取引に関するデータが入力されていれば、ＮＦＣリーダ１３は、その取引に関するデータを読み取り、そのデータを入出力インタフェース２５を介してＣＰＵ２１に送信する。ＮＦＣリーダ１３は、また、ＣＰＵ２１から入出力インタフェース２５を介して受けた情報を携帯端末に送信し、携帯端末のディスプレイにその情報を表示させることができる。
【００４９】
バーコードリーダ１４は、携帯端末がかざされたときに、そのディスプレイに表示されたバーコードを読み取る。バーコードは、携帯端末に事前に取引に関するデータが入力されてコード化されたものである。バーコードリーダ１４は、バーコードを読み取ると、そのデータを入出力インタフェース２５を介してＣＰＵ２１に送信する。
【００５０】
テンキーボード１５は、暗証番号の入力および出金取引の際の金額の入力に使用される。テンキーボード１５によって入力された暗証番号または金額のデータは、入出力インタフェース２５を介してＣＰＵ２１に送信される。
【００５１】
顧客センサ３４は、自動取引装置１０に顧客が接近したことを検出するものであって、顧客の存在を検出すると、その検出データを入出力インタフェース２５を介してＣＰＵ２１に送信する。
【００５２】
誘導灯３５は、カードスロット１１、ＮＦＣリーダ１３、バーコードリーダ１４などに設置されており、入出力インタフェース２５を介して受けたＣＰＵ２１からの指令に従って点灯（または点滅）制御される。また、誘導灯３５は、出金口１２やテンキー１５やその他の部分にも設置されてもよい。
【００５３】
通信インタフェース２６は、ネットワークを介して金融機関のホストコンピュータに接続される。通信インタフェース２６は、ネットワークを介して、他のコンピュータとの間でデータの送受信を行う。
【００５４】
以上のようなハードウェア構成によって、第２の実施の形態に係る自動取引装置１０の処理機能を実現することができる。
図６は第２の実施の形態に係る自動取引装置の取引手順を示すフローチャートである。図７はインフォメーション画面の一表示例を示す図である。図８はカード取引処理を示すフローチャートである。図９はカード取引処理での空中ディスプレイの画面表示例を示す図である。図９（Ａ）は取引種別選択画面の一表示例を示す図である。図９（Ｂ）は暗証入力画面の一表示例を示す図である。図９（Ｃ）は金額入力画面の一表示例を示す図である。図９（Ｄ）は媒体返却画面の一表示例を示す図である。図１０は取引開始時における携帯端末のディスプレイの表示例を示す図である。図１１は携帯端末取引処理を示すフローチャートである。図１２は携帯端末取引における空中ディスプレイの画面表示例を示す図である。図１２（Ａ）は暗証入力画面の一表示例を示す図である。図１２（Ｂ）は媒体返却画面の一表示例を示す図である。
【００５５】
第２の実施の形態に係る自動取引装置１０では、図６に示したように、取引処理が開始されると、まず、ＣＰＵ２１は、誘導灯３５を点灯し（ステップＳ１１）、顧客に対して最初に操作（カード挿入操作または携帯端末をかざす操作）可能な候補を通知する。
【００５６】
次に、ＣＰＵ２１は、顧客センサ３４が顧客を検知したかどうかを判断し（ステップＳ１２）、顧客が検知されなければ、検知されるまで待つ（ステップＳ１２のＮＯ）。顧客が検知される（ステップＳ１２のＹＥＳ）と、ＣＰＵ２１は、空中ディスプレイ１６を表示させる（ステップＳ１３）。このとき、ＣＰＵ２１は、空中ディスプレイ１６に対してインフォメーション画面を表示させる（ステップＳ１４）。インフォメーション画面は、図７に示したように、携帯端末（スマートフォン）で取引を行う顧客およびカードで取引を行う顧客の両方に向けた操作方法を案内している。
【００５７】
次に、ＣＰＵ２１は、カード／レシート処理部３２からカード挿入検出の通知を受けたかどうかを判断する（ステップＳ１５）。カード挿入が検出された場合（ステップＳ１５のＹＥＳ）、ＣＰＵ２１は、処理をカード取引処理（ステップＳ１６）に進め、ここでカード取引処理が完了すると、空中ディスプレイ１６を非表示にして（ステップＳ１７）、処理をステップＳ１２に進める。
【００５８】
ステップＳ１５にて、カード挿入が検出されていないと判断された場合（ステップＳ１５のＮＯ）、ＣＰＵ２１は、ＮＦＣリーダ１３またはバーコードリーダ１４から携帯端末検出の通知を受けたかどうかを判断する（ステップＳ１８）。携帯端末検出の通知を受けていない場合（ステップＳ１８のＮＯ）、ＣＰＵ２１は、処理をステップＳ１２に進める。ＮＦＣリーダ１３またはバーコードリーダ１４に取引内容を事前に入力した携帯端末をかざすことによってＮＦＣリーダ１３またはバーコードリーダ１４からＣＰＵ２１に携帯端末検出の通知を受けていた場合（ステップＳ１８のＹＥＳ）、ＣＰＵ２１は、空中ディスプレイ１６を非表示にして（ステップＳ１９）、処理を携帯端末取引処理（ステップＳ２０）に進める。この携帯端末取引処理が完了すると、ＣＰＵ２１は、処理をステップＳ１２に進める。
【００５９】
ステップＳ１６におけるカード取引処理では、図８に示したように、ＣＰＵ２１は、空中ディスプレイ１６の表示をインフォメーション画面から取引選択画面に切り換える（ステップＳ２１）。この取引選択画面は、たとえば、図９（Ａ）に示した表示の例では、「お引出し」および「残高照会」の選択ボタンが表示されている。
【００６０】
次に、ＣＰＵ２１は、入力操作検知部３１からどの選択ボタンが選択されたかの通知を受けると、空中ディスプレイ１６の表示を取引選択画面から暗証入力画面に切り換える（ステップＳ２２）。これにより、空中ディスプレイ１６は、たとえば、図９（Ｂ）に示したように、暗証番号の入力案内と、テンキーボード１５から入力されたときの番号を表示する枠とを表示する。
【００６１】
次に、ＣＰＵ２１は、取引選択画面で選択された取引が出金取引かどうかを判断し（ステップＳ２３）、出金取引（ステップＳ２３のＹＥＳ）なら、空中ディスプレイ１６の表示を暗証入力画面から金額入力画面に切り換える（ステップＳ２４）。この金額入力画面は、たとえば、図９（Ｃ）に示した表示の例では、出金したい金額の入力案内と、テンキーボード１５から入力されたときの番号を表示する枠と、確認ボタンとが表示される。
【００６２】
次に、ＣＰＵ２１は、確認ボタンの入力操作が検知されたことを入力操作検知部３１から通知されると、紙幣処理部３３に出金処理を指示し、カード／レシート処理部３２にカード放出を指示して、紙幣およびカードの媒体を返却する（ステップＳ２５）。
【００６３】
次に、ＣＰＵ２１は、空中ディスプレイ１６の表示を金額入力画面から媒体返却画面に切り換える（ステップＳ２６）。この媒体返却画面は、たとえば、図９（Ｄ）に示した表示の例では、出金口１２から放出された紙幣およびカードスロット１１から放出されたカードの取り忘れがないように注意喚起するための案内が表示される。このとき、カードスロット１１からは、カード／レシート処理部３２によって印字された取引の利用明細のレシートもカードと一緒に放出される。その後、ＣＰＵ２１は、処理を図６のフローに戻す。
【００６４】
ステップＳ２３において、取引選択画面で選択された取引が出金取引でない場合（ステップＳ２３のＮＯ）、ＣＰＵ２１は、カード／レシート処理部３２にカード返却および残高情報の印字・レシート放出を指示して、カードおよびレシートを放出する（ステップＳ２７）。
【００６５】
そして、ＣＰＵ２１は、空中ディスプレイ１６の表示を暗証入力画面からレシート放出画面に切り換える（ステップＳ２８）。その後、ＣＰＵ２１は、処理を図６のフローに戻す。
【００６６】
次に、携帯端末取引の場合について説明する。図６のステップＳ１２において、顧客が検知されたときに、ＣＰＵ２１は、空中ディスプレイ１６を表示させて、図７に示したインフォメーション画面にて携帯端末取引の場合の操作案内をしている。このとき、顧客は、携帯端末取引をしようとしている場合、事前に取引内容を入力し、取引可能状態にした携帯端末を持参している。この取引可能状態では、図１０に示したように、携帯端末３６は、携帯端末取引のときの操作案内と、事前に出金取引に関するデータが入力されてコード化されたバーコードとがディスプレイ上に表示されている。このバーコードは、図示の例では、二次元バーコードであるＱＲコード（登録商標）によって表示されている。
【００６７】
このような携帯端末３６をＮＦＣリーダ１３にかざしてＮＦＣリーダ１３との通信が確立したとき、ＣＰＵ２１は、図６のステップＳ１８において、携帯端末３６を検出したと判断する。または、携帯端末３６に表示されたバーコードをバーコードリーダ１４にかざしてそのバーコードがバーコードリーダ１４によって読み取られたとき、ＣＰＵ２１は、図６のステップＳ１８において、携帯端末３６を検出したと判断する（ステップＳ１８のＹＥＳ）。携帯端末３６が検出されると、ステップＳ１９にて空中ディスプレイ１６が非表示にされ、ステップＳ２０にて携帯端末取引処理が開始される。
【００６８】
携帯端末取引処理は、図１１に示したように、まず、ＣＰＵ２１は、暗証番号の入力が必要かどうかを判断する（ステップＳ３１）。通常は、携帯端末３６にて事前に入力したデータに暗証番号のデータを含んでいて、そのデータが暗証番号として使用されるので、暗証番号の入力は不要である（ステップＳ３１のＮＯ）。この場合、ＣＰＵ２１は、紙幣処理部３３に出金処理を指示して紙幣を放出し（ステップＳ３２）、空中ディスプレイ１６を表示させる（ステップＳ３３）。
【００６９】
ステップＳ３１において、自動取引装置１０が携帯端末取引の場合でも暗証番号の入力だけはテンキーボード１５から行うとの設定がなされている場合（ステップＳ３１のＹＥＳ）、ＣＰＵ２１は、空中ディスプレイ１６を表示させ（ステップＳ３４）、画面を暗証入力画面に切り換える（ステップＳ３５）。この暗証入力画面では、図１２（Ａ）に示したように、暗証番号の入力案内と、テンキーボード１５から入力されたときの番号を表示する枠とが表示される。この暗証番号の入力案内に従って暗証番号が入力されて認証されると、ＣＰＵ２１は、紙幣処理部３３に出金処理を指示して紙幣を放出する（ステップＳ３６）。
【００７０】
その後、ＣＰＵ２１は、空中ディスプレイ１６の表示画面を媒体返却画面にする（ステップＳ３７）。この媒体返却画面は、たとえば、図１２（Ｂ）に示したように出金口１２から放出された紙幣の取り忘れがないように注意喚起するための案内が表示される。紙幣が出金口１２から抜き取られたことが検出されると、ＣＰＵ２１は、空中ディスプレイ１６を非表示にして（ステップＳ３８）、処理を図６のフローに戻す。なお、ＣＰＵ２１は、図６のステップＳ１８において、所定時間内に携帯端末３６が検出されなかったと判断した場合（ステップＳ１８のＮＯ）は、ステップＳ１２に戻る。
【００７１】
このように、第２の実施の形態では、携帯端末取引処理において、暗証番号の入力が必要な場合を除き、媒体返却画面の表示のときだけ、空中ディスプレイ１６に画面表示を行うようにしている。このため、空中ディスプレイ１６は、取引のときだけ表示状態にされることから、空中ディスプレイ１６を構成する表示部２９の表示時間が短くなり、表示部２９（発光源などの消耗部品）の寿命を延ばすことができる。
【００７２】
図１３は第３の実施の形態における携帯端末取引処理を示すフローチャートである。図１４は携帯端末取引における出金案内表示画面の一表示例を示す図である。この第３の実施の形態では、全体の動作を示すフローチャートおよびカード取引処理のフローチャートは、第２の実施の形態で述べた図６および図８のフローチャートと同じであり、したがって、以下では携帯端末取引処理のフローチャートだけを示す。
【００７３】
第３の実施の形態における携帯端末取引処理は、図１３に示したように、まず、ＣＰＵ２１は、暗証番号の入力が必要かどうかを判断する（ステップＳ４１）。ここで、自動取引装置１０が携帯端末取引の場合でも暗証番号の入力だけはテンキーボード１５から行うと設定されている場合（ステップＳ４１のＹＥＳ）には、ＣＰＵ２１は、空中ディスプレイ１６を表示させ（ステップＳ４２）、暗証入力画面を表示させる（ステップＳ４３）。ここで、暗証番号の入力案内に従って暗証番号が入力されて認証されると、ＣＰＵ２１は、空中ディスプレイ１６を非表示にする（ステップＳ４４）。
【００７４】
ステップＳ４１の判断において暗証番号の入力が不要の場合（ステップＳ４１のＮＯ）、または、ステップＳ４４において空中ディスプレイ１６を非表示にした場合、ＣＰＵ２１は、紙幣処理部３３に出金処理を指示して紙幣を放出させる（ステップＳ４５）。
【００７５】
その後、ＣＰＵ２１は、携帯端末３６に対し出金案内表示を行うよう指示し（ステップＳ４６）、処理を図６のフローに戻す。この携帯端末３６での出金案内表示は、たとえば、図１４に示したように、携帯端末３６のディスプレイに表示される。
【００７６】
このように、この第３の実施の形態における携帯端末取引処理では、暗証番号の入力が必要な場合を除き、空中ディスプレイ１６を表示させることがない。このため、空中ディスプレイ１６が出現するのは、実質的に、図６のステップＳ１４において表示されるインフォメーション画面のときだけである。
【００７７】
なお、上記の実施の形態では、出金取引の場合を例にして説明したが、入金取引の場合についても、基本的に携帯端末取引では、空中ディスプレイを使わないで取引操作をすることができる。これは、入金された紙幣の金額を確認する必要があるときでも、携帯端末３６のディスプレイを用いて確認することができるからである。なお、空中ディスプレイの表示／不表示のタイミングについては、一例であり、これに限定されるものではない。必要なタイミングで表示／不表示させてもよい。
【００７８】
上記については単に本発明の原理を示すものである。さらに、多数の変形、変更が当業者にとって可能であり、本発明は上記に示し、説明した正確な構成および応用例に限定されるものではなく、対応するすべての変形例および均等物は、添付の請求項およびその均等物による本発明の範囲とみなされる。
【符号の説明】
【００７９】
１  自動取引装置
２  カード挿入検出部
３  携帯端末検出部
４  カード取引処理部
５  携帯端末取引処理部
６  表示制御部
７  空中ディスプレイ
８  操作誘導灯
１０  自動取引装置
１１  カードスロット
１２  出金口
１３  ＮＦＣリーダ
１４  バーコードリーダ
１５  テンキーボード
１６  空中ディスプレイ
２０  コンピュータ
２１  ＣＰＵ
２２  ＲＡＭ
２３  ＨＤＤ
２４  グラフィック処理部
２５  入出力インタフェース
２６  通信インタフェース
２７  バス
２８  表示ユニット
２９  表示部
３０  空中ディスプレイ表示機構
３１  入力操作検知部
３２  カード／レシート処理部
３３  紙幣処理部
３４  顧客センサ
３５  誘導灯
３６  携帯端末
【図１】
2017141433.tif 000003
【図２】
2017141433.tif 000004
【図３】
2017141433.tif 000005
【図４】
2017141433.tif 000006
【図５】
2017141433.tif 000007
【図６】
2017141433.tif 000008
【図７】
2017141433.tif 000009
【図８】
2017141433.tif 000010
【図９】
2017141433.tif 000011
【図１０】
2017141433.tif 000012
【図１１】
2017141433.tif 000013
【図１２】
2017141433.tif 000014
【図１３】
2017141433.tif 000015
【図１４】
2017141433.tif 000016
【国際調査報告】
2017141433.tif 000017
2017141433.tif 000018
2017141433.tif 000019
2017141433.tif 000020